(57)【要約】【課題】  本発明は、カード等の挿入体が挿入されるコネクタに関し、小型化、低背化に適したスイッチを備える。【解決手段】  コネクタ１０は、抜取方向に付勢されたスライダ１６’と、斜面４１１が形成された片持ち梁形状を有する第１弾性接片４１と、自由端がスライダの移動経路上に位置する片持ち梁形状を有し、スライダ１６’に先端部４２１が押されることにより弾性変形し斜面４１１に接して第１弾性接片４１を弾性変形させる、第１弾性接片４１とによりスイッチを構成する第２弾性接片とを備える。スライダ１６’が、第２弾性接片の先端部４２１に当接してその先端部４２１を挿入方向奥側に押す当接面１６３と、その先端部４２１の、第１弾性接片４１から受ける反力による、第１弾性接片４１から離れる向きへの移動を阻止する反力受面１６４ａ，１６５とを有する。【選択図】        図１１
2014137954.tif 000002
【特許請求の範囲】
【請求項１】
挿入体が挿入される挿入口と、挿入された挿入体を取出自在に受容する受容空間とを有するコネクタであって、
前記挿入口から挿入されてきた挿入体に押されて挿入方向奥側に移動し、該挿入口に向かって付勢されて該挿入体の取出し時に該挿入口寄りに移動するスライダと、
前記挿入方向に延び該挿入方向奥側が自由端であって該挿入方向奥側ほど前記受容空間内に入り込んだ形状の斜面が形成された片持ち梁形状を有し、該斜面が、前記挿入口寄りに移動した状態の前記スライダよりも挿入方向奥側であって該スライダの移動経路上に配置された第１弾性接片と、
前記挿入方向とは交わる方向に延びて自由端が前記スライダの移動経路上に位置する片持ち梁形状を有し、前記挿入体の挿入に伴って挿入方向に移動してきた該スライダに該自由端側の先端部が押されることにより弾性変形し前記斜面に接して前記第１弾性接片を前記受容空間から押し出す向きに弾性変形させ、該挿入体の抜取りに伴う該スライダの抜取方向への移動により変形が解除されて該第１弾性接片から離間する、該第１弾性接片とによりスイッチを構成する第２弾性接片とを備え、
前記スライダが、前記第２弾性接片の前記先端部に当接して該先端部を挿入方向奥側に押す当接面と、該当接面に当接した状態における前記先端部の、前記第１弾性接片から受ける反力による、該第１弾性接片から離れる向きへの移動を阻止する反力受面とを有することを特徴とするコネクタ。
【請求項２】
前記スライダが、前記当接面の、前記第１弾性接片から離れた側の端縁から該当接面よりも挿入方向奥側に突出し該当接面側を向いた面を前記反力受面とする庇部を有することを特徴とする請求項１記載のコネクタ。
【請求項３】
前記スライダが、前記庇部の、挿入方向奥側に突出した先端部分から、前記第１弾性接片に向かって突出し、前記挿入体の抜取りに伴う該スライダの抜取方向への移動の初期において前記先端部を該抜取方向に引き戻す垂下部をさらに有することを特徴とする請求項２記載のコネクタ。
【請求項４】
前記第２弾性接片の前記先端部は、前記第１弾性接片の前記斜面に向かって凸の接触面を形成するように板材が折り曲げられた形状を有し、
前記反力受面が、前記当接面から前記スライダの挿入方向後方に折れ曲がって該当接面に連続し該板材の凹面に入り込んで、該先端部の、前記第１弾性接片から離れる向きへの移動を阻止する面であることを特徴とする請求項１から３のうちいずれか１項記載のコネクタ。
【発明の詳細な説明】
【技術分野】
【０００１】
本発明は、相手コネクタやカード等の挿入体が挿入されるコネクタに関する。
【背景技術】
【０００２】
近年、例えばメモリカードが差し込まれてそのメモリカードをアクセスするタイプのコネクタなど、コネクタの分野によっては、小型化、低背化が進んでいる。メモリカードが差し込まれるタイプのコネクタの場合、例えばメモリカードが差し込まれたことを検出するためのスイッチなどのスイッチ類を配置する必要もある。小型化、低背化が進むとスイッチ１つ配置するにも小型化、省スペース化の工夫が必要となる。
【０００３】
ここで、特許文献１には、カードの挿入に伴ってそのカードの挿入方向とは直角の方向（具体的には下方）に動くスイッチプレートおよびコンタクトブレードを有するコネクタが開示されている。
【先行技術文献】
【特許文献】
【０００４】
【特許文献１】特表２００２−５２５８２７号公報
【発明の概要】
【発明が解決しようとする課題】
【０００５】
コネクタの小型化、低背化を考えると、特許文献１に開示されたコネクタの構造の場合、コンタクトブレードが下方に移動したとき、このコネクタが実装されている回路基板上の回路にコンタクトブレードが短絡するおそれがある。この特許文献１に開示されたコネクタのようにスイッチを下方に設けることに代えて、スイッチを受容空間の上方に設けた場合、今度は、スイッチがその受容空間を上から覆うシェルに短絡するおそれがある。
【０００６】
本発明は、上記事情に鑑み、小型化、低背化に適したスイッチを備えたコネクタを提供することを目的とする。
【課題を解決するための手段】
【０００７】
上記目的を達成する本発明のコネクタは、挿入体が挿入される挿入口と、挿入された挿入体を取出自在に受容する受容空間とを有するコネクタであって、
挿入口から挿入されてきた挿入体に押されて挿入方向奥側に移動し、挿入口に向かって付勢されて挿入体の取出し時に挿入口寄りに移動するスライダと、
挿入方向に延び挿入方向奥側が自由端であって挿入方向奥側ほど受容空間内に入り込んだ形状の斜面が形成された片持ち梁形状を有し、その斜面が、挿入口寄りに移動した状態のスライダよりも挿入方向奥側であってスライダの移動経路上に配置された第１弾性接片と、
挿入方向とは交わる方向に延びて自由端がスライダの移動経路上に位置する片持ち梁形状を有し、挿入体の挿入に伴って挿入方向に移動してきたスライダに自由端側の先端部が押されることにより弾性変形し上記の斜面に接して第１弾性接片を受容空間から押し出す向きに弾性変形させ、挿入体の抜取りに伴うスライダの抜取方向への移動により変形が解除されて第１弾性接片から離間する、第１弾性接片とによりスイッチを構成する第２弾性接片とを備え、
上記スライダが、第２弾性接片の先端部に当接してその先端部を挿入方向奥側に押す当接面と、その当接面に当接した状態における上記の先端部の、第１弾性接片から受ける反力による、第１弾性接片から離れる向きへの移動を阻止する反力受面とを有することを特徴とする。
【０００８】
本発明のコネクタは、第１の弾性接片と第２の弾性接片がコネクタの厚み方向に接離するので２つの接片を挿入体の挿入方向に接離する向きに配置する場合と比べ、小型化に寄与する。また、本発明のコネクタは、上記のスライダが反力受面を有するため、第２弾性接片の上記斜面から離れる向きへの移動が規制される。したがって低背化されたコネクタであっても、シェルを備えた場合におけるシェルへの不用意な接触等、不都合な発生が防止される。
【０００９】
ここで本発明のコネクタにおいて、上記スライダが、上記当接面の、第１弾性接片から離れた側の端縁からその当接面よりも挿入方向奥側に突出し上記当接面側を向いた面を反力受面とする庇部を有することが好ましい。
【００１０】
上記の庇部を形成することにより、第２弾性接片の、上記斜面から離れる向きへの移動が確実に阻止される。
【００１１】
ここで、スライダが上記庇部を備えた場合に、そのスライダが、その庇部の、挿入方向奥側に突出した先端部分から、第１弾性接片に向かって突出し、挿入体の抜取りに伴うスライダの抜取方向への移動の初期において上記の先端部を抜取方向に引き戻す垂下部をさらに有することがさらに好ましい。
【００１２】
挿入体が挿入されてスライダが挿入方向の奥側にあるときは、第２弾性接片の先端部は、第１弾性接片とスライダの庇部に形成された反力受面との間に挟まれ、第１弾性接片により反力受面に向かって押された状態にある。その後の、スライダが抜取方向に移動する場面を考える。このとき仮に、第１弾性接片と第２弾性接片の先端部とが多少引っ掛かっていたり、あるいはそれらの間の摩擦が大きい状態になっていると、第２弾性接片を置き去りにしてスライダのみが先に抜取方向に移動するという事態が考えられる。この場合、第２弾性接片の先端部はスライダから離れて第１弾性接片に少し引っ掛かり、スライダよりも遅れて戻ることになる。例えば挿入体の抜取りの極く初期にその抜取りの動きを検出して挿入体との間の信号や電力のやりとりを直ちに停止する必要がある場合には、僅かな遅れでも致命傷となることがあり得る。あるいは、最悪の場合、第２弾性接片の先端部が第１弾性接片に引っ掛ったまま第２弾性接片が戻らないことも想定される。
【００１３】
そこで、スライダに上記の垂下部を形成すると、スライダが抜取方向に移動する際に第２弾性接片の先端部に強制的に戻す方向の力が加えられることになり、上記の引っ掛かりによる第２弾性接片の戻りの遅れ等の発生が防止される。
【００１４】
また、本発明のコネクタにおいて、第２弾性接片の先端部は、第１弾性接片の斜面に向かって凸の接触面を形成するように板材が折り曲げられた形状を有し、上記反力受面が、上記当接面からスライダの挿入方向後方に折れ曲がってその当接面に連続し上記の板材の凹面に入り込んで、先端部の、第１弾性接片から離れる向きへの移動を阻止する面であってもよい。
【００１５】
このように、第２弾性接片の折れ曲がりを利用した反力受面を形成してもよい。
【００１６】
尚、第２弾性接片の折れ曲がりを利用した反力受面と、上述の庇部に設けられた反力受面は、いずれか一方でもよいが、これらの反力受面の双方が形成されていてもよい。この場合、第１弾性接片からの反力がさらに確実に受け止められ、第２弾性接片の、第１弾性接片から離れる向きへの移動がさらに確実に阻止される。
【発明の効果】
【００１７】
以上の本発明によれば、小型化、低背化に適したスイッチを備えたコネクタが実現する。
【図面の簡単な説明】
【００１８】
【図１】本発明のコネクタの一実施形態であるカードコネクタの平面図である。
【図２】図１に平面図を示すカードコネクタからシェルを取り外した状態を示した平面図である。
【図３】シェルを取り外した状態のカードコネクタの斜視図である。
【図４】図１〜図３のそれぞれに示す矢印Ｘ−Ｘに沿う断面図である。
【図５】シェルを取り外した状態のカードコネクタの斜視図である。
【図６】図５に示すＹ−Ｙに沿う断面図である。
【図７】スライダが図６に示す位置よりももう少し挿入方向（矢印Ａ方向）に移動した状態を示した断面図である。
【図８】スライダが図７に示した位置よりもさらに挿入方向（矢印Ａ方向）に移動し、第２弾性接片の先端部が第１弾性接片の斜面に接触した直後の状態を示した断面図である。
【図９】スライダが挿入方向（矢印Ａ方向）の最終位置までスライドした状態を示した斜視図である。
【図１０】上述の実施形態の変形例のカードコネクタの断面図である。
【図１１】図１０に円Ｒで示す部分の拡大図である。
【発明を実施するための形態】
【００１９】
以下、本発明の実施の形態を説明する。
【００２０】
図１は、本発明のコネクタの一実施形態であるカードコネクタの平面図である。
【００２１】
このカードコネクタは、メモリカード（図示せず）が挿入されるメモリカードコネクタの一例である。
【００２２】
また図２は、図１に平面図を示すカードコネクタからシェルを取り外した状態を示した平面図である。尚、ここでは説明の都合上、シェルを取り外したものもカードコネクタと称する。
【００２３】
また、図３は、シェルを取り外した状態のカードコネクタの斜視図である。
【００２４】
ここに示すカードコネクタ１０は、ハウジング１１とシェル１２（図１参照）とを備えている。シェル１２は、金属板で構成されており、ハウジング１１との間にメモリカードが挿入される挿入口１３を形成するとともに、ハウジング１１とシェル１２との間の挿入されたメモリカードを取出自在に受け入れる受容空間１４が形成されている。
【００２５】
図２，図３に示すように、ハウジング１２上には、挿入されたメモリカードに接しメモリカードと電気的に接触するコンタクト１５や、挿入されてきたメモリカードに押されて挿入方向（図２，図３に示す矢印Ａ方向）奥側にスライドするスライダ１６などが備えられている。このスライダ１６は、コイルバネ１７により、メモリカードの抜取方向（矢印Ｂ方向）に付勢されている。
【００２６】
またこのスライダ１６には、いわゆるハートカム溝１６１が形成されており、そのハートカム溝１６１にはカムバー１８の先端部１８１が入り込んでいる。
【００２７】
このスライダ１６は、挿入口１３から挿入されてきたメモリカードに押されて挿入方向（矢印Ａ方向）に移動すると、挿入方向への移動の最終位置でカムバー１８の先端部１８１がハートカム溝１６１に係合し、これによりスライダ１６がその位置でロックされる。そのロックされた状態でメモリカードを再度挿入方向に指で押すと、そのロックが外れる。その後、メモリカードを押すのを止めて指を離すと、コイルバネ１７の付勢力によりスライダ１６が抜取方向（矢印Ｂ方向）に移動して、メモリカードを挿入口１３から一部食み出た位置まで押し出す。その位置まで押し出されたメモリカードは人の指先又はピンセット等の道具により、このカードコネクタ１０から取り出される。
【００２８】
また、このスライダ１６には、メモリカード側面に形成されている窪みに入り込んで、挿入されたメモリカードがスライダ１６を残したまま不用意に移動してしまわないようにメモリカードをロックするロック部材１６２が設けられている。
【００２９】
さらに、このカードコネクタ１０には３つのスイッチ２０，３０，４０が備えられている。
【００３０】
第１のスイッチ２０は、メモリカードが挿入途中である所定の位置まで挿入されてきたときに一方の接片２１がメモリカードに押されてもう一方の接片２２に接触し、これによりメモリカードがその所定位置まで挿入されたことを検出するスイッチである。
【００３１】
また第２のスイッチ３０は、一方の接片３１がメモリカードに押されてもう一方の接片３２から離れ、これによりメモリカードが挿入方向奥まで挿入されたことを検出するスイッチである。
【００３２】
挿入された状態にあるメモリカードが抜き取れらるときにはコンタクト１５とメモリカードとが電気的に正常に導通している段階で、それらの間の通信等を直ちに停止する必要がある。
【００３３】
メモリカードが抜取方向に十分に移動すると、第２のスイッチ３０の２つの接片３１，３２が互いに接触することでメモリカードが抜かれていることが検出される。ただし、この検出タイミングでは既に遅過ぎる場合が想定される。このため、このコネクタ１０には、第２のスイッチ３０よりもさらに奥側に、もう１つの、第３のスイッチ４０が設けられている。このコネクタ１０では、この第３のスイッチ４０により、メモリカードの抜取りが極く初期の段階で検出される。
【００３４】
この第３のスイッチ４０は、本発明にいうスイッチの一例であり、第１弾性接片４１と第２弾性接片４２とを有する。
【００３５】
第１弾性接片４１は、挿入方向（矢印Ａ方向）に延び挿入方向奥側（矢印Ａ方向先端側）が自由端であって挿入方向奥側ほど受容空間内に入り込んだ形状の斜面４１１が形成された片持ち梁形状を有する接片である。本実施形態では、具体的には、挿入方向奥側ほど上に持ち上がった形状の斜面４１１となっている。この第１弾性接片４１は、その斜面４１１が、挿入口１３側に移動した状態（図２，図３に示す状態）のスライダ１６よりも挿入方向奥側であって、スライダ１６の移動経過上に配置されている。
【００３６】
また、第２弾性接片４２は、挿入方向とは交わる方向に延びて自由端がスライダの移動経路上に位置する片持ち梁形状を有する接片である。この第２弾性接片４２は、詳細は後述するが、メモリカードの挿入に伴って挿入方向に移動してきたスライダ１６に自由端側の先端部４２１が押されることにより弾性変形する。そして、第２弾性接片４２は、第１弾性接片４１の斜面４１１に接して第１弾性接片４１を受容空間から押し出す向き（本実施形態では具体的には下向き）に弾性変形させる。メモリーカードの抜取り時には、第２弾性接片４２は、メモリカードの抜取りに伴うスライダ１６の抜取方向への移動によりその弾性変形が解除されて第１弾性接片４１から離間する。
【００３７】
以下では、この第３のスイッチ４０の詳細構造とスライダ１６との相互作用を中心に説明する。
【００３８】
図４は、図１〜図３のそれぞれに示す矢印Ｘ−Ｘに沿う断面図である。ここには、シェル１２を含む断面が示されている。
【００３９】
この図４には、以下の説明に重要なスライダ１６、第１弾性接片４１およびその斜面４１１、第２弾性接片４２（図２，図３参照）の先端部４２１が示されている。この図４におけるスライダ１６は、コイルバネ１７に押されて、メモリカードの挿入口１３側に移動した状態にある。このスライダ１６は挿入方向（矢印Ａ方向）の先端側に当接面１６３を有する。この当接面１６３は、このスライダ１６が挿入方向（矢印Ａ方向）奥側にスライドしたときに第２弾性接片の先端部４２１に当接してその先端部４２１を挿入方向（矢印Ａ方向）奥側に押す面である。さらに、このスライダ１６には、当接面１６３の上側の端縁からその当接面１６３よりも挿入方向（矢印Ａ方向）奥側に突出した庇部１６４を有する。さらにこのスライダ１６は、当接面１６３の下端縁から挿入方向（矢印Ａ方向）後方に折れ曲がってその当接面１６３に連続する下面１６５を有する。
【００４０】
また、第２弾性接片の先端部４２１は、第１弾性接片４１の斜面４１１に向かって凸の接触面１４２ａを形成するように板材が折り曲げられた形状を有する。
【００４１】
図５は、シェルを取り外した状態のカードコネクタの斜視図である。ただし、この図５では、この後説明する断面図をより分かり易くするために、コイルバネ１７（図２，図３参照）は図示省略している。
【００４２】
この図５には、挿入方向（矢印Ａ方向）の途中位置までスライドした状態のスライダ１６が示されている。
【００４３】
図６は、図５に示すＹ−Ｙに沿う断面図である。この矢印Ｙ−Ｙは、スライダ１６の位置が異なること、およびコイルバネ１７の図示が省略されていることを除き、図１〜図３に示す矢印Ｘ−Ｘと同じ断面である。
【００４４】
スライダ１６がこの図６に示す位置にある途中段階では、このスライダ１６は第２弾性接片の先端部４２１とは未だ離れた状態にある。ここで、スライダ１６の庇部１６４の、第１弾性接片４１側を向いた下面１６４ａは、先端部４２１の上端縁４２１ｂよりもやや高い位置にある。また、スライダ１６の、当接面１６３の下端縁に連続する下面１６５は、先端部４２１の凹面の底面４２１ｃよりもやや高い位置にある。
【００４５】
図７は、スライダが図６に示す位置よりももう少し挿入方向（矢印Ａ方向）に移動した状態を示した断面図である。尚、この図７以降の各図については、それらの各図に対応する。図３，図５に示すような斜視図の図示は省略する。また、この図７以降の各図においてもコイルバネ１７（図４参照）の図示は省略されている。
【００４６】
この図７には、コネクタ１０の全体の断面図（Ａ）に加え、スライダ１６と第２弾性接片の先端部４２１とスライダ１６のみの断面図（Ｂ）も示されている。スライダ１６と第２弾性接片の先端部４２１との位置関係は、図６を参照しながら説明した通りである。すなわち、当接面１６３とその当接面１６３の下端縁に連続する下面１６５は、先端部４２１の凹面側に入り込む。また、庇部１６４は、その先端部４２１の上に被さった状態となる。
【００４７】
このスライダ１６が図７に示す状態がさらに挿入方向（矢印Ａ方向）に移動すると、片持ち梁形状を有する第２弾性部材は、その先端部４２１がスライダ１６の当接面１６３に押されて弾性変形する。
【００４８】
図８は、スライダが図７に示した位置よりもさらに挿入方向（矢印Ａ方向）に移動し、第２弾性接片の先端部が第１弾性接片の斜面に接触した直後の状態を示した断面図である。
【００４９】
第１弾性接片４１の斜面４１１には、第２弾性接片の先端部４２１の接触面４２１ａが接触する。この接触面４２１ａは板材が折り曲げられた形状の凸面で形成されている。このため、例えばこの先端部４２１を上下に立設した平板の板材で形成して斜面４１１にその端面が接する構造と比べ、スライダ１６がこの図８に示す位置から挿入方向（矢印Ａ方向）にさらに移動するときの、斜面４１１と先端部４２１との間の摩擦が低減される。したがって、スライダ１６の移動や第２弾性部材４２（図２，図３参照）の弾性変形が円滑に行なわれる。
【００５０】
図９は、スライダが挿入方向（矢印Ａ方向）の最終位置までスライドした状態を示した斜視図である。
【００５１】
この図９に示す状態では、第１弾性接片４１は、スライダ１６により、第２弾性接片の先端部４２１を介して押し下げられて弾性変形した状態となる。この弾性変形により第１弾性接片４１と第２弾性接片４２の先端部４２１とが確実に電気的に接触する。この状態では、第２弾性接片の先端部４２１は、弾性変形した状態にある第１弾性接片４１から反力を受けて第１弾性接片４１から離れる方向（上方向）へ持ち上げられる。仮に、その先端部４２１が反力を受けるままに持ち上げられると、その先端部４２１がシェル１２に短絡して誤動作するおそれがある。
【００５２】
このスライダ１６の、当接面１６３に続く下面１６５は、先端部４２１の凹面に入り込んでいて、その凹面の底面４２１ｃが下面１６５に当たることにより、先端部４２１の、第１弾性接片４１からの反力による持ち上がりが防がれている。
【００５３】
また、このスライド１６には、庇部１６４が形成されており、反力を受けた先端部４２１の上端縁４２１ｂがその庇部１６４の下面１６４ａに突き当たり、この点でも先端部４２１が反力によって持ち上げられることが阻止されている。
【００５４】
このように、本実施形態のコネクタ１０の場合、当接面１６３の下縁に続く下面１６５と庇部１６４の下面１６４ａとの双方で、第２弾性接片の先端部４２１が第１弾性接片４１から受ける反力により持ち上げられることが阻止されている。
【００５５】
本発明では、スライダの、第１弾性接片からの反力を第２弾性接片の先端部を介して受け止める面を反力受面と称している。本実施形態では、当接面１６３の下縁に続く下面１６５と、庇部１６４の下面１６４ａとのそれぞれが本発明にいう反力受面の各一例に相当する。
【００５６】
本実施形態のコネクタ１０では、上記の通り、２つの反力受面が設けられているため、第２弾性接片の先端部４２１の、反力による持ち上がりが一層確実に阻止されている。ただし、反力受面は必ずしも２つ設けられている必要はなく、いずれかが一方であってもよい。例えば、第２弾性接片の先端部４２１が本実施形態のように折り曲げられているときは、庇部１６４は必ずしも必要ではなく、第２弾性接片の先端部４２１が例えば上下に立設した、あるいは水平に広がった単純な平板形状を有する場合は、庇部１６４の下面１６４ａのみを反力受面として作用させてもよい。
【００５７】
スライダ１６は、スライダ１６のハートカム溝１６１とカムバー１８（図２，図３参照）との間の係合によりこの図９に示した位置にとどまる。メモリカードをもう一度差し込む向きに押すと、スライダ１６が挿入方向（矢印Ａ方向）に僅かに動き、その動きで係合が外れる。この係合が外れると、スライダ１６は、コイルバネ１７の作用により、抜取方向（図２，図３に示す矢印Ｂ方向）にスライドして、図２，図３に示す位置まで戻る。これとともに、スライド１６により押されて弾性変形していた第２弾性接片４２も元の形状（図２，図３参照）に復帰し、第２弾性接片４２の先端部４２１に押されて弾性変形していた第１弾性接片４１も元の形状に復帰する。
【００５８】
図１０は、上述の実施形態の変形例のカードコネクタの断面図である。
【００５９】
この図１０は、上述の実施形態における図９の断面図に対応する断面図である。ここでは、上述の実施形態のカードコネクタ１０の各要素に対応する各要素には、上述の実施形態の各図面に付した符号と同一の符号を付して示し、相違点のみを説明する。
【００６０】
また図１１は、図１０に円Ｒで示す部分の拡大図である。
【００６１】
この図１０に示すカードコネクタ１０’のスライダ１６’には、上述の実施形態のカードコネクタ１０のスライダ１６の各要素に加え、さらに、庇部１６４の、挿入方向奥側に突出した先端部１６４ｂから第１弾性接片４１に向かって突出した垂下部１６６を有する。この垂下部１６６は、メモリカードの抜取りに伴うスライダ１６’の抜取方向（矢印Ｂ方向）への移動の初期において、第２弾性接片の先端部４２１に引っ掛かって、その先端部４２１を抜取方向に引き戻す役割を担っている。これにより、第１弾性接片４１と第２弾性接片の先端部４２１との間で多少の引っ掛かりや多少大きな摩擦が生じていても先端部４２１を置き去りにしたままスライダ１６’が抜取方向（矢印Ｂ方向）にスライドしてしまうという事態が防止され、より確実な動作が実現する。
【００６２】
尚、ここでは、メモリカードが挿入されるカードコネクタについて説明したが、本発明のコネクタは、メモリカードが挿入されるカードコネクタに限られず、相手コネクタやその一部分が挿入されるタイプのコネクタにも適用することができるものである。
【符号の説明】
【００６３】
１０，１０’    カードコネクタ
１１    ハウジング
１２    シェル
１３    挿入口
１４    受容空間
１５    コンタクト
１６，１６’    スライダ
１７    コイルバネ
１８    カムバー
２０，３０，４０    スイッ
２１，２２，３１，３２    接片
４１    第１弾性接片
４２    第２弾性接片
１６１    ハートカム溝
１６３    当接面
１６４    庇部
１６４ａ，１６５    下面
１６６    垂下部
４１１    斜面
４２１    先端部
【図１】
2014137954.tif 000003
【図２】
2014137954.tif 000004
【図３】
2014137954.tif 000005
【図４】
2014137954.tif 000006
【図５】
2014137954.tif 000007
【図６】
2014137954.tif 000008
【図７】
2014137954.tif 000009
【図８】
2014137954.tif 000010
【図９】
2014137954.tif 000011
【図１０】
2014137954.tif 000012
【図１１】
2014137954.tif 000013